(57)【要約】      （修正有）【課題】短焦点プロジェクターの使用をより便利化することができる電動昇降装置を提供する。【解決手段】短焦点プロジェクター２００を室内の壁面Ａに対して映像投影可能に且つ上下動可能に設置するための電動昇降装置１００であって、室内の壁面Ａまたは天井面Ｂもしくはその両者に渡って固定される取り付け部と、取り付け部に支持される、モータとモータにより正逆転駆動される回転体とを有する電動駆動部２と、電動駆動部２よりも下側に配設されて上下方向に延びているレール部４Ｌ・４Ｒと、レール部にガイドされて上下方向に移動可能なスライダ部５と、腕部７に設けられているプロジェクター保持部８を有する。【選択図】図１
2017207576.tif 000002
【特許請求の範囲】
【請求項１】
短焦点プロジェクターを室内の壁面に対して映像投影可能に且つ上下動可能に設置するための電動昇降装置であって、
室内の壁面または天井面もしくはその両者に渡って固定される取り付け部と、
前記取り付け部に支持される、モータと前記モータにより正逆転駆動される回転体とを有する電動駆動部と、
前記電動駆動部よりも下側に配設されて上下方向に延びているレール部と、
前記レール部にガイドされて上下方向に移動可能なスライダ部と、
一端部が前記回転体に係止され他端部が前記スライダ部に係止されているベルトと、
前記スライダ部に基部が取り付けられ前記壁面の側とは反対の側に突出している腕部と、
前記腕部に設けられているプロジェクター保持部と、を有する
ことを特徴とする短焦点プロジェクターの電動昇降装置。
【請求項２】
前記レール部は前記電動駆動部に締結されていることを特徴とする請求項１に記載の短焦点プロジェクターの電動昇降装置。
【請求項３】
前記短焦点プロジェクターは電子黒板機能を搭載したものであることを特徴とする請求項１または２に記載の短焦点プロジェクターの電動昇降装置。
【請求項４】
前記電動駆動部を有線方式または無線方式によってリモートコントロールする操作部を有することを特徴とする請求項１ないし３の何れか一項に記載の短焦点プロジェクターの電動昇降装置。
【発明の詳細な説明】
【技術分野】
【０００１】
本発明は短焦点プロジェクターの電動昇降装置に関する。
【背景技術】
【０００２】
通常のプロジェクーはスクリーンに映像を投影するので、ある程度広いスペースでないと十分に効果を発揮することができないが、短焦点プロジェクターター（超短焦点プロジェクターター）は小型・軽量で、壁やテーブル面など、家の中のさまざまなところにで、映画や写真、動画などの映像を投写できる（特許文献１、２）。また、電子ペンを使い、投写画面に直接書き込むことができる電子黒板機能を搭載したものもあり、プレゼンテーションや授業の内容をデータとして保存したり、動画で記録したりできるものも市販されている。
【先行技術文献】
【特許文献】
【０００３】
【特許文献１】特開２０１３−１７１２４６号公報
【特許文献２】特開２０１２−２４２８３６号公報
【発明の概要】
【発明が解決しようとする課題】
【０００４】
本発明は上記のような短焦点プロジェクターの使用をより便利化することができる短焦点プロジェクターの電動昇降装置を提供することを目的とする。
【課題を解決するための手段】
【０００５】
上記の目的を達成するための本発明に係る短焦点プロジェクターの電動昇降装置の代表的な構成は、
短焦点プロジェクターを室内の壁面に対して映像投影可能に且つ上下動可能に設置するための電動昇降装置であって、
室内の壁面または天井面もしくはその両者に渡って固定される取り付け部と、
前記取り付け部に支持される、モータと前記モータにより正逆転駆動される回転体とを有する電動駆動部と、
前記電動駆動部よりも下側に配設されて上下方向に延びているレール部と、
前記レール部にガイドされて上下方向に移動可能なスライダ部と、
一端部が前記回転体に係止され他端部が前記スライダ部に係止されているベルトと、
前記スライダ部に基部が取り付けられ前記壁面の側とは反対の側に突出している腕部と、
前記腕部に設けられているプロジェクター保持部と、を有する
ことを特徴とする。
【発明の効果】
【０００６】
本発明によれば、短焦点プロジェクターの使用をより便利化することができる短焦点プロジェクターの電動昇降装置を提供することができる。
【図面の簡単な説明】
【０００７】
【図１】実施例の電動昇降装置を室内に設置して短焦点プロジェクターを使用している状態を示している斜視模式図である。
【図２】同装置の一部切欠き側面模式図である。
【図３】同装置の要部の分解斜視模式図である。
【図４】同装置のコントローラにおける昇降操作用スイッチ部分の斜視模式図である。
【発明を実施するための形態】
【０００８】
《実施例》
図１は本実施例の電動昇降装置１００を室内に設置して短焦点プロジェクター２００を使用している状態を示している斜視模式図である。図２は同装置１００の一部切欠き側面模式図、図３は同装置の要部の分解斜視模式図、図４は同装置のコントローラ１１における昇降操作用スイッチ部分の斜視模式図である。
【０００９】
当該装置１００は短焦点プロジェクター２００を室内の壁面Ａに対して映像投影可能に且つ上下動可能に設置する装置である。当該装置１００は室内の壁面Ａまたは天井面Ｂもしくはその両者に渡って固定（定着）される取り付け部（ブラケット）１Ｌ・１Ｒを有する。また、この取り付け部１Ｌ・１Ｒに支持される、モータＭとこのモータＭにより正逆転駆動される回転体３とを有する電動駆動部２を有する。また、この電動駆動部２よりも重力方向において下側に配設されて上下方向に延びているレール部４Ｌ・４Ｒを有する。また、このレール部４Ｌ・４Ｒにガイドされて上下方向に移動可能なスライダ部５を有する。また、一端部が回転体３に係止され他端部がスライダ部５に係止されているベルト６を有する。また、スライダ部５に基部７１が取り付けられ、壁面Ａの側とは反対の側に突出している腕部７を有する。そして、腕部７に設けられているプロジェクター保持部８を有する。
【００１０】
取り付け部１Ｌ・１Ｒは本実施例においては壁面Ａに向って見て左右一対の逆Ｌ字形の金具である。この左右の取り付け部１Ｌ・１Ｒはそれぞれ壁面Ａの上部に所定の間隔をあけて壁面Ａに対してビスやアンカーボルト等によりしっかりと固定して配設される。取り付け部材１Ｌ・１Ｒはこの形態に限られるものではない。また、取り付け部材１Ｌ・１Ｒは天井面Ｂに対して、もしくは壁面Ａと天井面Ｂの両者の会合部において両者に渡って固定されて配設されものであってもよい。
【００１１】
電動駆動部２は本実施例においては正面から見て左右方向に横長のケース２１と、ケース２１の内部に軸線を左右方向にして且つ左右の軸受部材（不図示）により回転可能に支持されて格納されている回転体としてのパイプ材３と、このパイプ材３を正逆転駆動するモータＭを有している。なお、図３において、ケース２１は、前面板を取り外して内部のパイプ材３とモータＭを見せた状態を示している。電動駆動部２はケース２１を前記取り付け部１Ｌ・１Ｒに対して係止させる取り付け部１Ｌ・１Ｒにしっかりと支持させている。
【００１２】
レール部４Ｌ・４Ｒは本実施例においては壁面Ａに向って見て左右一対の、それぞれ長手に沿ってスリットを入れた角パイプ材である。このレール部４Ｌ・４Ｒは本実施例においては電動駆動部２とは別部材であり、壁面Ａに対して電動駆動部２よりも下側において左右に所定の間隔をあけて上下方向に平行に配列してビスやアンカーボルトによりしっかりと固定して配設している。レール部４Ｌ・４Ｒは電動駆動部２のケース２１に対して上端部を締結して電動駆動部２と一体化されて配設されてもよい。
【００１３】
スライダ部５は本実施例においては板金加工品である。このスライダ部５の左右両側部にはそれぞれ複数個のコロ（ベアリング）５１が配設されている。この左右両側部のコロ５１はそれぞれ上記の左右のレール部４Ｌ・４Ｒの中空部に嵌入されて、レール部中空部の内面に接してレール部長手に沿って転動する。これにより、スライダ部５はレール部４Ｌ・４Ｒにガイドされて上下方向にスムーズに移動可能である。
【００１４】
ベルト５は可撓性を有し、引張り強度があり、延びが小さい部材であり、シートベルト材料を用いることができる。本発明においては、ベルト５は帯状の形態に限られるものではなく、テンションワイヤ、紐、鎖等の索条の形態も含まれる。
【００１５】
なお、図３においては、便宜上、コロ５１はレール部４Ｌ・４Ｒを透視して描いている。また、レール部４Ｌ・４Ｒの上端部およびベルト６の上部はケース２１の底板を透視して描いている。
【００１６】
ベルト５の一端部は電動駆動部２のパイプ材３に係止されている。ベルト５の他端部はスライダ部５の上縁部に止め金具５２によりしっかりと係止されている。従って、電動駆動部２のパイプ材３がモータＭによりベルト巻き込み方向に正転駆動されると、パイプ材３に対するベルト５の巻き込みによりスライダ部５がレール部４Ｌ・４Ｒにガイドされて上昇動する。また、電動駆動部２のパイプ材３がモータＭによりベルト繰り出し方向に逆転駆動されると、ベルト５の繰り出しによりスライダ部５がレール部４Ｌ・４Ｒにガイドされて下降動する。
【００１７】
腕部７は本実施例においては筒型の板金加工品である。腕部７の基部７１は取り付け金具７２を介してスライダ部５に対して取り付けられている。取り付け金具７２は腕部７の基部７１に対して位置決めされて固定され、スライダ部５に対してはフック部７３とビス７４により係止される。７５と７６は腕部７の前下がり調整及び防止ノビネジと長穴固定部分である。腕部７はスライダ部５に対して取り付けられた状態において、壁面Ａの側とは反対の側に突出している。
【００１８】
プロジェクター保持部８は本実施例においては筒型の板金加工品である。この保持部８は腕部７の先端側の下面に対して下向きにビス止めして設けられており、この保持部８の下端部に短焦点プロジェクター２００が取り付け金具８１を介して投影レンズ部を壁面Ａに対して所定に向けた姿勢にて取り付けられる。
【００１９】
９は可動式（フレキシブル）のコードガイドであり、本実施例においては、左右のレール部４Ｌ・４Ｒの間の上部において一端部を壁面Ａにビス等により係止させ、他端側を腕部７の基部７１の下縁に設けた取り付け部５３に係止させて配設されている。このコードガイド９には電動駆動部２と短焦点プロジェクター２００との間に配線される電力供給コードや情報送信用コード等の所要の電気コードが収容されている。コードガイド９の一端部は電動駆動部２側に係止させてもよい。
【００２０】
上記のように電動昇降装置１００に保持されている短焦点プロジェクター２００はモータＭの正逆転制御に伴うパイプ材３によるベルト６の巻き上げ、巻き戻しで上昇動と下降動させることができる。短焦点プロジェクター２００の上下動範囲はレール部４Ｌ・４Ｒとベルト６の長さ調整により長短自由に設定することが可能である。
【００２１】
１０は電動駆動部２に接続された電気コードであり、モータＭや短焦点プロジェクター２００への電力供給コード、モータＭや短焦点プロジェクター２００の制御信号送信用コード等である。モータＭや短焦点プロジェクター２００の各種制御はコントローラ（操作部）１１により有線方式でリモートコントロールされる。或いは、無線方式によってリモートコントロールされる。
【００２２】
図４はコントローラ１１における昇降操作用スイッチ部分の斜視模式図である。１２は昇降操作用スイッチであり、本実施例においてはシーソー中間スイッチである。このスイッチ１２の上昇操作部分を指で押すことでモータＭがベルト巻き込み方向に正転駆動してプロジェクター２００が上昇動していく。スイッチ１２から指を離すとその時点でモータＭの駆動が停止してプロジェクター２００の上昇動が停止される。プロジェクター２００の上昇動はスイッチ１２の上昇操作部分を押し続けても、プロジェクター２００が所定の上昇終点に到達するとモータＭの正転駆動が自動で停止されてプロジェクター２００のそれ以上の上昇動はなされない。
【００２３】
また、スイッチ１２の下降操作部分を指で押すことでモータＭがベルト巻き戻し方向に逆転駆動してプロジェクター２００が下降動していく。スイッチ１２から指を離すとその時点でモータＭの駆動が停止してプロジェクター２００の下降動が停止される。プロジェクター２００の下降動はスイッチ１２の下降操作部分を押し続けても、プロジェクター２００が所定の下降終点に到達するとモータＭの逆転駆動が自動で停止されてプロジェクター２００のそれ以上の下降動はなされない。
【００２４】
図１において、Ｃは短焦点プロジェクターター２００によって壁面Ａに投写された映像を示している。短焦点プロジェクターター２００が電子黒板機能を搭載したものであれば、電子ペンを使い、投写画面に直接書き込むことができ、プレゼンテーションや授業の内容をデータとして保存したり、動画で記録したりできる。
【００２５】
上述したように、本実施例の電動昇降装置１００においては、リモートコントロールにより短焦点プロジェクター２００をレール部４Ｌ・４Ｒによるスライダ部５の上下可動範囲において適宜に上下位置移動させることで、壁面Ａに投写された映像Ｃの位置を適宜に高くしたり低くしたりすることができる。そのため、例えば、子供たちの教場においては、子供の背丈に合せて投写映像Ｃの位置を即座に調節して子供の電子ペン使いや映像に対するタッチを容易にすることが可能であり、短焦点プロジェクターの使用をより便利化することができる効果がある。
【符号の説明】
【００２６】
１００・・電動昇降装置、２００・・短焦点プロジェクター、１・・取り付け部、２・・電動駆動部、３・・回転体、Ｍ・・モータ、４Ｌ・４Ｒ・・レール部、５・・スライダ部、６・・ベルト、７・・腕部、８・・プロジェクター保持部、１１・・操作部
【図１】
2017207576.tif 000003
【図２】
2017207576.tif 000004
【図３】
2017207576.tif 000005
【図４】
2017207576.tif 000006